(57)【要約】【課題】辞書検索装置において、検索対象となる文字の入力を行う必要なく、しかも勘に頼ることもなく、適切且つ容易に素早く所望の見出し語を検索して表示させること。【解決手段】辞書先頭から見出語一覧(Gy)が表示された初期の辞書検索画面Ｇで、所望見出語が該一覧(Gy)より辞書内後方を示す右キーが操作されると、辞書先頭見出語(Min)〜末尾見出語(Max)が辞書内範囲設定され、範囲中央((Min+Max)/2)を先頭見出語(Pos)とした一覧(Gy)が表示される。所望見出語が該一覧(Gy)より辞書内後方の場合さらに右キー操作で当該一覧(Gy)の先頭見出語(Pos→Min)〜前記末尾見出語(Max)が辞書内範囲更新設定され、所望見出語が一覧(Gy)より辞書内前方の場合は左キー操作で前回先頭見出語(Min)〜当該一覧(Gy)の先頭見出語(Pos→Max）が辞書内範囲更新設定され、範囲中央((Min+Max)/2)を先頭見出語(Pos)とした一覧(Gy)が表示される。左右キーの繰り返し操作による所望見出語検索。【選択図】      図３
2008117310.tif 000002
【特許請求の範囲】
【請求項１】
所定の文字順に配列された複数の見出し語にそれぞれその説明情報を対応付けて記憶する辞書記憶手段と、
この辞書記憶手段により記憶された先頭の見出し語から末尾の見出し語までの見出し語範囲でその中央にある見出し語を表示させる初回見出し語表示制御手段と、
前記辞書記憶手段により所定の文字順に配列されて記憶されている複数の見出し語について前方または後方の見出し語をユーザ操作に応じて指定する方向指定手段と、
前記初回見出し語表示制御手段により前記辞書記憶手段により記憶されている先頭の見出し語から末尾の見出し語までの中央にある見出し語が表示された後に、前記方向指定手段により前方の見出し語が指定された場合には、前回の見出し語表示制御に伴う見出し語範囲の先頭の見出し語から同前回の見出し語表示制御に伴い表示された見出し語までの見出し語範囲でその中央にある見出し語を表示させる前方見出し語表示制御手段と、
前記初回見出し語表示制御手段により前記辞書記憶手段により記憶されている先頭の見出し語から末尾の見出し語までの中央にある見出し語が表示された後に、前記方向指定手段により後方の見出し語が指定された場合には、前回の見出し語表示制御に伴い表示された見出し語から同前回の見出し語表示制御に伴う見出し語範囲の末尾の見出し語までの見出し語範囲でその中央にある見出し語を表示させる後方見出し語表示制御手段と、
前記見出し語表示制御手段により表示された見出し語をユーザ操作に応じて指定する表示見出し語指定手段と、
この表示見出し語指定手段により指定された見出し語に対応付けられて前記辞書記憶手段により記憶されている説明情報を検索して表示させる説明情報表示制御手段と、
を備えたことを特徴とする辞書検索装置。
【請求項２】
所定の文字順に配列された複数の見出し語にそれぞれその説明情報を対応付けて記憶する辞書記憶手段と、
検索対象の文字をユーザ操作に応じて入力する検索文字入力手段と、
この検索文字入力手段により入力された文字と先頭一致する見出し語を前記辞書記憶手段により記憶された見出し語の中から検索して表示させる入力文字対応見出し語表示制御手段と、
前記辞書記憶手段により所定の文字順に配列されて記憶されている複数の見出し語について前方または後方の見出し語をユーザ操作に応じて指定する方向指定手段と、
前記入力文字対応見出し語表示制御手段により前記入力された文字と先頭一致する見出し語が表示された状態で、前記方向指定手段により後方の見出し語が指定された場合に、前記辞書記憶手段により記憶されている前記入力文字と先頭一致する先頭の見出し語から末尾の見出し語までの見出し語範囲でその中央にある見出し語を表示させる入力文字一致範囲内中央見出し語表示制御手段と、
前記検索文字入力手段により検索対象の文字が入力されない場合に、前記辞書記憶手段により記憶された先頭の見出し語から末尾の見出し語までの見出し語範囲でその中央にある見出し語を表示させる初回見出し語表示制御手段と、
前記入力文字一致範囲内中央見出し語表示制御手段により前記辞書記憶手段により記憶されている前記入力文字と先頭一致する先頭の見出し語から末尾の見出し語までの中央にある見出し語が表示された後、または前記初回見出し語表示制御手段により前記辞書記憶手段により記憶されている先頭の見出し語から末尾の見出し語までの中央にある見出し語が表示された後に、前記方向指定手段により前方の見出し語が指定された場合には、前回の見出し語表示制御に伴う見出し語範囲の先頭の見出し語から同前回の見出し語表示制御に伴い表示された見出し語までの見出し語範囲でその中央にある見出し語を表示させる前方見出し語表示制御手段と、
前記入力文字一致範囲内中央見出し語表示制御手段により前記辞書記憶手段により記憶されている前記入力文字と先頭一致する先頭の見出し語から末尾の見出し語までの中央にある見出し語が表示された後、または前記初回見出し語表示制御手段により前記辞書記憶手段により記憶されている先頭の見出し語から末尾の見出し語までの中央にある見出し語が表示された後に、前記方向指定手段により後方の見出し語が指定された場合には、前回の見出し語表示制御に伴い表示された見出し語から同前回の見出し語表示制御に伴う見出し語範囲の末尾の見出し語までの見出し語範囲でその中央にある見出し語を表示させる後方見出し語表示制御手段と、
前記見出し語表示制御手段により表示された見出し語をユーザ操作に応じて指定する表示見出し語指定手段と、
この表示見出し語指定手段により指定された見出し語に対応付けられて前記辞書記憶手段により記憶されている説明情報を検索して表示させる説明情報表示制御手段と、
を備えたことを特徴とする辞書検索装置。
【請求項３】
前記入力文字対応見出し語表示制御手段は、前記検索文字入力手段により複数の文字が入力された場合には、この入力された文字列と先頭一致する見出し語を前記辞書記憶手段により記憶された見出し語の中から検索して表示させる、
ことを特徴とする請求項２に記載の辞書検索装置。
【請求項４】
前記見出し語表示制御手段は、対応する見出し語を一覧にして表示させることを特徴とする請求項１ないし請求項３の何れか１項に記載の辞書検索装置。
【請求項５】
前記方向指定手段は、前記辞書記憶手段により所定の文字順に配列されて記憶されている複数の見出し語について前方または後方の見出し語をユーザ操作に応じて指定する左キーおよび右キーであり、
前記表示見出し語指定手段は、前記見出し語表示制御手段により一覧にして表示された見出し語のうちの１つの見出し語をユーザ操作に応じて指定する上キーおよび下キーである、
ことを特徴とする請求項４に記載の辞書検索装置。
【請求項６】
前記見出し語表示制御手段による見出し語範囲の中央の見出し語の表示制御が行われる毎に、当該表示制御に伴う見出し語範囲を記憶する見出し語範囲記憶手段と、
ユーザ操作に応じて前記見出し語表示制御手段による見出し語表示制御の戻りを指示する戻り指示手段と、
この戻り指示手段により前記見出し語表示制御の戻りが指示された場合に、前記見出し語範囲記憶手段により記憶されている前回の見出し語の表示制御に伴う見出し語範囲でその中央にある見出し語を表示させる見出し語表示戻り制御手段と、
を備えたことを特徴とする請求項１に記載の辞書検索装置。
【請求項７】
所定の文字順に配列された複数の見出し語にそれぞれその説明情報を対応付けて記憶する辞書記憶手段を有する辞書検索装置のコンピュータを制御するための辞書検索処理プログラムであって、
前記コンピュータを、
前記辞書記憶手段により記憶された先頭の見出し語から末尾の見出し語までの見出し語範囲でその中央にある見出し語を表示させる初回見出し語表示制御手段、
前記辞書記憶手段により所定の文字順に配列されて記憶されている複数の見出し語について前方または後方の見出し語をユーザ操作に応じて指定する方向指定手段、
前記初回見出し語表示制御手段により前記辞書記憶手段により記憶されている先頭の見出し語から末尾の見出し語までの中央にある見出し語が表示された後に、前記方向指定手段により前方の見出し語が指定された場合には、前回の見出し語表示制御に伴う見出し語範囲の先頭の見出し語から同前回の見出し語表示制御に伴い表示された見出し語までの見出し語範囲でその中央にある見出し語を表示させる前方見出し語表示制御手段、
前記初回見出し語表示制御手段により前記辞書記憶手段により記憶されている先頭の見出し語から末尾の見出し語までの中央にある見出し語が表示された後に、前記方向指定手段により後方の見出し語が指定された場合には、前回の見出し語表示制御に伴い表示された見出し語から同前回の見出し語表示制御に伴う見出し語範囲の末尾の見出し語までの見出し語範囲でその中央にある見出し語を表示させる後方見出し語表示制御手段、
前記見出し語表示制御手段により表示された見出し語をユーザ操作に応じて指定する表示見出し語指定手段、
この表示見出し語指定手段により指定された見出し語に対応付けられて前記辞書記憶手段により記憶されている説明情報を検索して表示させる説明情報表示制御手段、
として機能させるようにしたコンピュータ読み込み可能な辞書検索処理プログラム。
【発明の詳細な説明】
【技術分野】
【０００１】
本発明は、電子データ化して記憶した辞書データベースの中から所望の見出し語を検索し、その言語訳や意味内容などの説明情報を表示させるための辞書検索装置および辞書検索処理プログラムに関する。
【背景技術】
【０００２】
従来、国語辞典，英和辞典，和英事典などの各種の辞典や辞書を電子データ化してＲＯＭなどの記憶媒体に格納し、これに基づき入力された検索対象の文字列に一致あるいは先頭に含む見出し語（単語）を検索して一覧表示させ、この見出し語一覧表示の中から所望の見出し語を選択することで、当該選択された見出し語の訳語や意味内容などの説明情報を読み出して表示させるようにした電子辞書装置が広く実用されている。
【０００３】
このような電子辞書装置によって所望の見出し語を検索する際には、ユーザは先ず検索対象となる文字列の読みをひらがな入力したりアルファベット入力したりする必要があり、高齢者などの文字入力キーの操作に不慣れなユーザにとっては操作が面倒になる問題がある。
【０００４】
一方、５０音順のインデックス、あるいはアルファベット順のインデックスをペン入力可能な表示画面に一覧表示させ、所望の見出し語の文字を示しているインデックスの範囲の位置をペンタッチなどにより指定することで、その指定位置に対応した見出し語の一覧を検索して表示させるようにした、文字入力キーを操作する必要がない電子辞書装置も考えられている（例えば、特許文献１参照。）。
【特許文献１】特開平０７−２３０４６３号公報
【発明の開示】
【発明が解決しようとする課題】
【０００５】
前述したように、５０音順インデックスあるいはアルファベット順インデックスを表示させ、所望の見出し語の文字を示している範囲の位置をペンタッチなどにより指定することで、その指定位置に対応した見出し語一覧の検索表示を行うようにした従来の電子辞書装置では、文字入力キーを操作する必要がなく、インデックス表示に対するペンタッチ操作だけで所望の見出し語検索を行うことができる。
【０００６】
しかしながら、所望の見出し語の文字を示しているインデックス上の範囲の位置を、５０音順あるいはアルファベット順に基づいたユーザの勘により適当にペンタッチして見出し語一覧表示させ、この見出し語一覧に含まれない場合には、さらに勘に頼った幅でその前後位置をペンタッチするという繰り返しによって所望の見出し語一覧にまでに行き着くため、特に、表示画面が大きく一覧表示される見出し語の数が多くないと、所望の見出し語のある位置近辺で何回も前後してペンタッチの指定を繰り返さなければならない場合が起きてしまう。
【０００７】
本発明は、このような課題に鑑みなされたもので、検索対象となる文字列の入力を行う必要なく、しかも勘に頼ることもなく、適切且つ容易に素早く所望の見出し語を検索して表示させることが可能になる辞書検索装置および辞書検索処理プログラムを提供することを目的とする。
【課題を解決するための手段】
【０００８】
本発明に係る第１の辞書検索装置は、所定の文字順に配列された複数の見出し語にそれぞれその説明情報を対応付けて記憶する辞書記憶手段と、この辞書記憶手段により記憶された先頭の見出し語から末尾の見出し語までの見出し語範囲でその中央にある見出し語を表示させる初回見出し語表示制御手段と、前記辞書記憶手段により所定の文字順に配列されて記憶されている複数の見出し語について前方または後方の見出し語をユーザ操作に応じて指定する方向指定手段と、前記初回見出し語表示制御手段により前記辞書記憶手段により記憶されている先頭の見出し語から末尾の見出し語までの中央にある見出し語が表示された後に、前記方向指定手段により前方の見出し語が指定された場合には、前回の見出し語表示制御に伴う見出し語範囲の先頭の見出し語から同前回の見出し語表示制御に伴い表示された見出し語までの見出し語範囲でその中央にある見出し語を表示させる前方見出し語表示制御手段と、前記初回見出し語表示制御手段により前記辞書記憶手段により記憶されている先頭の見出し語から末尾の見出し語までの中央にある見出し語が表示された後に、前記方向指定手段により後方の見出し語が指定された場合には、前回の見出し語表示制御に伴い表示された見出し語から同前回の見出し語表示制御に伴う見出し語範囲の末尾の見出し語までの見出し語範囲でその中央にある見出し語を表示させる後方見出し語表示制御手段と、前記見出し語表示制御手段により表示された見出し語をユーザ操作に応じて指定する表示見出し語指定手段と、この表示見出し語指定手段により指定された見出し語に対応付けられて前記辞書記憶手段により記憶されている説明情報を検索して表示させる説明情報表示制御手段とを備えたことを特徴としている。
【０００９】
本発明に係る第２の辞書検索装置は、所定の文字順に配列された複数の見出し語にそれぞれその説明情報を対応付けて記憶する辞書記憶手段と、検索対象の文字をユーザ操作に応じて入力する検索文字入力手段と、この検索文字入力手段により入力された文字と先頭一致する見出し語を前記辞書記憶手段により記憶された見出し語の中から検索して表示させる入力文字対応見出し語表示制御手段と、前記辞書記憶手段により所定の文字順に配列されて記憶されている複数の見出し語について前方または後方の見出し語をユーザ操作に応じて指定する方向指定手段と、前記入力文字対応見出し語表示制御手段により前記入力された文字と先頭一致する見出し語が表示された状態で、前記方向指定手段により後方の見出し語が指定された場合に、前記辞書記憶手段により記憶されている前記入力文字と先頭一致する先頭の見出し語から末尾の見出し語までの見出し語範囲でその中央にある見出し語を表示させる入力文字一致範囲内中央見出し語表示制御手段と、前記検索文字入力手段により検索対象の文字が入力されない場合に、前記辞書記憶手段により記憶された先頭の見出し語から末尾の見出し語までの見出し語範囲でその中央にある見出し語を表示させる初回見出し語表示制御手段と、前記入力文字一致範囲内中央見出し語表示制御手段により前記辞書記憶手段により記憶されている前記入力文字と先頭一致する先頭の見出し語から末尾の見出し語までの中央にある見出し語が表示された後、または前記初回見出し語表示制御手段により前記辞書記憶手段により記憶されている先頭の見出し語から末尾の見出し語までの中央にある見出し語が表示された後に、前記方向指定手段により前方の見出し語が指定された場合には、前回の見出し語表示制御に伴う見出し語範囲の先頭の見出し語から同前回の見出し語表示制御に伴い表示された見出し語までの見出し語範囲でその中央にある見出し語を表示させる前方見出し語表示制御手段と、前記入力文字一致範囲内中央見出し語表示制御手段により前記辞書記憶手段により記憶されている前記入力文字と先頭一致する先頭の見出し語から末尾の見出し語までの中央にある見出し語が表示された後、または前記初回見出し語表示制御手段により前記辞書記憶手段により記憶されている先頭の見出し語から末尾の見出し語までの中央にある見出し語が表示された後に、前記方向指定手段により後方の見出し語が指定された場合には、前回の見出し語表示制御に伴い表示された見出し語から同前回の見出し語表示制御に伴う見出し語範囲の末尾の見出し語までの見出し語範囲でその中央にある見出し語を表示させる後方見出し語表示制御手段と、前記見出し語表示制御手段により表示された見出し語をユーザ操作に応じて指定する表示見出し語指定手段と、この表示見出し語指定手段により指定された見出し語に対応付けられて前記辞書記憶手段により記憶されている説明情報を検索して表示させる説明情報表示制御手段とを備えたことを特徴としている。
【００１０】
また、前記第２の辞書検索装置において、前記入力文字対応見出し語表示制御手段は、前記検索文字入力手段により複数の文字が入力された場合には、この入力された文字列と先頭一致する見出し語を前記辞書記憶手段により記憶された見出し語の中から検索して表示させることを特徴としている。
【００１１】
また、前記辞書検索装置において、前記見出し語表示制御手段は、対応する見出し語を一覧にして表示させることを特徴としている。
【００１２】
また、前記辞書検索装置において、前記方向指定手段は、前記辞書記憶手段により所定の文字順に配列されて記憶されている複数の見出し語について前方または後方の見出し語をユーザ操作に応じて指定する左キーおよび右キーであり、前記表示見出し語指定手段は、前記見出し語表示制御手段により一覧にして表示された見出し語のうちの１つの見出し語をユーザ操作に応じて指定する上キーおよび下キーであることを特徴としている。
【００１３】
また、前記辞書検索装置は、前記見出し語表示制御手段による見出し語範囲の中央の見出し語の表示制御が行われる毎に、当該表示制御に伴う見出し語範囲を記憶する見出し語範囲記憶手段と、ユーザ操作に応じて前記見出し語表示制御手段による見出し語表示制御の戻りを指示する戻り指示手段と、この戻り指示手段により前記見出し語表示制御の戻りが指示された場合に、前記見出し語範囲記憶手段により記憶されている前回の見出し語の表示制御に伴う見出し語範囲でその中央にある見出し語を表示させる見出し語表示戻り制御手段とをさらに備えたことを特徴としている。
【発明の効果】
【００１４】
本発明によれば、検索対象となる文字列の入力を行う必要なく、しかも勘に頼ることもなく、適切且つ容易に素早く所望の見出し語を検索して表示させることが可能になる辞書検索装置および辞書検索処理プログラムを提供できる。
【発明を実施するための最良の形態】
【００１５】
以下図面により本発明の実施の形態について説明する。
【００１６】
（第１実施形態）
図１は、本発明の辞書検索装置の実施形態に係る携帯機器（電子辞書）１０の電子回路の構成を示すブロック図である。
【００１７】
この携帯機器（電子辞書）１０は、以下に説明する電子辞書機能を備えたＰＤＡ(personal digital assistants)、ＰＣ(personal computer)、携帯電話、電子ブックとして構成されるか、電子辞書専用の携帯機器として構成される。この携帯機器（電子辞書）１０は、各種の記憶媒体に記録されたプログラム、又は、伝送されたプログラムを読み込んで、その読み込んだプログラムによって動作が制御されるコンピュータによって構成され、その電子回路には、ＣＰＵ(central processing unit)１１が備えられる。
【００１８】
ＣＰＵ１１は、メモリ１２内に予め記憶された装置制御プログラム、あるいはＲＯＭカードなどの外部記憶媒体１３から記憶媒体読取部１４を介して前記メモリ１２に読み込まれた装置制御プログラム、あるいはインターネットＮ上のＷｅｂサーバ（この場合はプログラムサーバ）２０から通信部１５を介して前記メモリ１２に読み込まれた装置制御プログラムに応じて、回路各部の動作を制御するもので、前記メモリ１２に記憶された装置制御プログラムは、キーやタッチパネルからなる入力部１６からのユーザ操作に応じた入力信号、あるいは通信部１５を介して接続されるインターネットＮ上の各Ｗｅｂサーバ２０…との通信信号、あるいは記憶媒体読取部１４を介して外部接続されるＥＥＰＲＯＭ，ＲＡＭ，ＲＯＭなどのメモリカード（記憶媒体）１３との接続通信信号に応じて起動される。
【００１９】
前記ＣＰＵ１１には、前記メモリ１２、記憶媒体読取部１４、通信部１５、入力部１６が接続される他に、ＬＣＤからなる表示部１７などが接続される。
【００２０】
メモリ１２には、当該携帯機器（電子辞書）１０の全体の動作を司るシステムプログラムや通信部１５を介してインターネットＮ上の各Ｗｅｂサーバ２０…とデータ通信するための通信プログラムが記憶される他に、辞書データ（１２ｂ）に基づいて検索対象の入力文字列に先頭一致する見出し語一覧を検索表示したり、同辞書データ（１２ｂ）における現在表示中の見出し語位置に基づき左または右カーソルキーの操作に応じた辞書内前方向または後方向設定範囲での中央位置の見出し語（単語）からの一覧を検索表示したり、この見出し語一覧から上下カーソルキーによって選択指示された見出し語（単語）に対応した訳語や意味内容などの各種説明情報を検索表示したりするための辞書検索制御プログラム１２ａが記憶される。
【００２１】
また、このメモリ１２には、辞書データメモリ１２ｂ、入力文字データメモリ１２ｃ、リスト先頭見出し語位置メモリ（Ｐｏｓ）１２ｄ、検索見出し語カーソル位置メモリ１２ｅ、ソート先頭見出し語位置メモリ（Ｍｉｎ）１２ｆ、ソート末尾見出し語位置メモリ（Ｍａｘ）１２ｇ、およびワークエリア１２ｈなどが用意される。
【００２２】
辞書データメモリ１２ｂには、「国語辞典」「漢和辞典」「英和辞典」「和英辞典」など、種類の異なる辞書データが各種類別に予め、あるいはダウンロードされて複数辞書記憶されるもので、例えば「国語辞典」としては「広○苑」「マイ百科事典」「カタカナ辞典」が記憶され、「漢和辞典」としては「漢○林」「漢字源」が記憶され、「英和辞典」としては「シーニアス英和辞典」「リータース英和辞典」が記憶され、「和英辞典」としては「シニアー和英辞典」「シーニアス和英辞典」が記憶される。
【００２３】
入力文字データメモリ１２ｃには、辞書検索画面Ｇの検索文字入力エリアＧｘ（図３，図４，図６参照）において、入力部１６の文字入力キーの操作に応じて入力された検索対象となる文字列のデータが記憶される。
【００２４】
リスト先頭見出し語位置メモリ（Ｐｏｓ）１２ｄには、前記入力文字データメモリ１２ｃに入力記憶された検索対象の文字列あるいは前記左または右カーソルキーの操作に応じて、前記辞書データ１２ｂから検索された見出し語（単語）の当該辞書データ１２ｂ中のアドレスが見出し語一覧表示のための先頭位置として記憶される。
【００２５】
検索見出し語カーソル位置メモリ１２ｅには、前記検索一覧表示された見出し語一覧エリアＧｙ（図３，図４，図６参照）上で各見出し語を指定表示する反転カーソルＣの見出し語指定位置が記憶される。
【００２６】
ソート先頭見出し語位置メモリ（Ｍｉｎ）１２ｆには、前記左または右カーソルキーの操作による見出し語検索に際し、検索対象として設定される辞書内範囲の先頭の見出し語アドレス位置が記憶される。
【００２７】
ソート末尾見出し語位置メモリ（Ｍａｘ）１２ｇには、前記左または右カーソルキーの操作による見出し語検索に際し、検索対象として設定される辞書内範囲の末尾の見出し語アドレス位置が記憶される。
【００２８】
この場合に、前記検索対象として設定される辞書内範囲の設定内容については、後述の動作説明において詳述する。
【００２９】
ワークエリア１２ｈには、前記辞書検索制御プログラム１２ａなどの各種の装置制御プログラムに従いＣＰＵ１１に入出力される種々のデータが必要に応じて記憶される。
【００３０】
なお、図１のメモリ１２において点線で示す保存位置ポインタ（ｐｔ）１２ｉおよび当該保存位置ポインタｐｔに対応付けられた辞書内範囲設定メモリ１２ｊについては、後述の第３実施形態において詳述する。
【００３１】
入力部１６には、ひらがな，カタカナ，漢字，英数字を任意入力するための一連の文字入力キーが配列されると共に、辞書データメモリ１２ｂに記憶されている各種別の辞書を指定して辞書検索を行うための各辞書キー「国語」「漢和」「英和」「和英」、辞書検索方向（前後方向）の指示操作および表示画面上でのデータ選択操作やスクロール操作、反転カーソルＣの移動操作などを行うための左右上下方向の各カーソルキー、そして、選択データの決定／確定や選択された見出し語に対応した説明情報の読出し表示を指示するための「訳／決定」キーなどが備えられる。
【００３２】
次に、前記構成の携帯機器（電子辞書）１０による第１実施形態の辞書検索制御機能について説明する。
【００３３】
図２は、前記携帯機器（電子辞書）１０による第１実施形態の辞書検索制御処理を示すフローチャートである。
【００３４】
図３は、前記携帯機器（電子辞書）１０の第１実施形態の辞書検索制御処理に伴う検索動作画面（その１）を示す図である。
【００３５】
図４は、前記携帯機器（電子辞書）１０の第１実施形態の辞書検索制御処理に伴う検索動作画面（その２）を示す図である。
【００３６】
入力部１６において今回の辞書検索に使用する種類の「辞書」キーが操作入力されると、例えば図３（Ａ）に示すように、当該「辞書」キーに対応する種類の辞書（この場合「和英」）の辞書検索画面Ｇが表示部１７に表示される。
【００３７】
この辞書検索画面Ｇが表示部１７に表示された初期状態では、その検索文字入力エリアＧｘは未入力であり、また当該辞書内の先頭の見出し語「ああ」から続く各見出し語を一覧にした見出し語一覧エリアＧｙが表示されると共に、同先頭の見出し語「ああ」が反転カーソルＣにより識別表示され、その説明情報が説明情報表示エリアＧｓに表示される。
【００３８】
この辞書検索画面Ｇの初期表示状態で、検索文字入力エリアＧｘに対する検索対象の文字列を未入力のまま、カーソルキーの操作のみによって所望の見出し語（例えば「脱出」）の和英辞書検索を行うために、当該所望の見出し語「脱出」の５０音順に対応する辞書内位置が現在の見出し語一覧エリアＧｙにて表示中の各見出し語「ああ」〜「アーチェリー」より後方にあるとして、図３（Ｂ）に示すように、入力部１６における右「→」カーソルキーが操作入力されると（ステップＳ１（Ｙｅｓ））、検索対象となる辞書内範囲が該辞書先頭の見出し語位置から末尾の見出し語位置までの全辞書範囲に初期設定され、同先頭の見出し語アドレス位置がソート先頭見出し語位置（Ｍｉｎ）１２ｆ、同末尾の見出し語アドレス位置がソート末尾見出し語位置（Ｍａｘ）１２ｇとして設定記憶される（ステップＳ２）。
【００３９】
そして、前記ソート先頭見出し語位置（Ｍｉｎ）１２ｆとソート末尾見出し語位置（Ｍａｘ）１２ｇとで設定された検索対象となる辞書内範囲の２分の１位置に対応する見出し語位置［（Ｍｉｎ＋Ｍａｘ）／２］、つまり設定辞書内範囲中央の見出し語「赤外線カメラ」の位置がリスト先頭見出し語位置（Ｐｏｓ）１２ｄとして決定記憶され（ステップＳ３）、図３（Ｂ）に示すように、当該リスト先頭見出し語位置（Ｐｏｓ）１２ｄの見出し語「赤外線カメラ」を先頭行とした見出し語一覧が辞書データ（１２ｂ）から読み出されて見出し語一覧エリアＧｙに表示される（ステップＳ４）。
【００４０】
ここでさらに、所望の見出し語「脱出」の５０音順に対応する辞書内位置が現在の見出し語一覧エリアＧｙにて表示中の各見出し語「赤外線カメラ」〜「石材工場」より後方にあるとして、図３（Ｃ）に示すように、入力部１６における右「→」カーソルキーが繰り返し操作入力されると（ステップＳ５（Ｙｅｓ））、当該一覧表示中のリスト先頭見出し語「赤外線カメラ」の位置（Ｐｏｓ）１２ｄが新たなソート先頭見出し語位置（Ｍｉｎ）１２ｆとして設定記憶され（ステップＳ７）、検索対象となる辞書内範囲が該リスト先頭見出し語「赤外線カメラ」の位置から前記末尾の見出し語位置（Ｍａｘ）までの範囲に更新設定される。
【００４１】
そして、前記ソート先頭見出し語「赤外線カメラ」位置（Ｍｉｎ）１２ｆとソート末尾見出し語「辞書末尾見出し語」位置（Ｍａｘ）１２ｇとで更新設定された検索対象となる辞書内範囲の２分の１位置に対応する見出し語位置［（Ｍｉｎ＋Ｍａｘ）／２］、つまり更新された設定辞書内範囲中央の見出し語「はんえん［半円］」の位置がリスト先頭見出し語位置（Ｐｏｓ）１２ｄとして決定記憶され（ステップＳ３）、図３（Ｃ）に示すように、当該リスト先頭見出し語位置（Ｐｏｓ）１２ｄの見出し語「はんえん［半円］」を先頭行とした見出し語一覧が辞書データ（１２ｂ）から読み出されて見出し語一覧エリアＧｙに表示される（ステップＳ４）。
【００４２】
そして今度は、所望の見出し語「脱出」の５０音順に対応する辞書内位置が現在の見出し語一覧エリアＧｙにて表示中の各見出し語「はんえん［半円］」〜「半壊する」より前方にあるとして、図４（Ｄ）に示すように、入力部１６における左「←」カーソルキーが操作入力されると（ステップＳ６（Ｙｅｓ））、当該一覧表示中のリスト先頭見出し語「はんえん［半円］」の位置（Ｐｏｓ）１２ｄが新たなソート末尾見出し語位置（Ｍａｘ）１２ｇとして設定記憶され（ステップＳ８）、検索対象となる辞書内範囲が前記ソート先頭見出し語「赤外線カメラ」位置（Ｍｉｎ）１２ｆから当該新たなソート末尾見出し語「はんえん［半円］」位置（Ｍａｘ）１２ｇまでの範囲に更新設定される。
【００４３】
そして、前記ソート先頭見出し語「赤外線カメラ」位置（Ｍｉｎ）１２ｆとソート末尾見出し語「はんえん［半円］」位置（Ｍａｘ）１２ｇとで更新設定された検索対象となる辞書内範囲の２分の１位置に対応する見出し語位置［（Ｍｉｎ＋Ｍａｘ）／２］、つまり更新された設定辞書内範囲中央の見出し語「てつき［手付き］」の位置がリスト先頭見出し語位置（Ｐｏｓ）１２ｄとして決定記憶され（ステップＳ３）、図４（Ｄ）に示すように、当該リスト先頭見出し語位置（Ｐｏｓ）１２ｄの見出し語「てつき［手付き］」を先頭行とした見出し語一覧が辞書データ（１２ｂ）から読み出されて見出し語一覧エリアＧｙに表示される（ステップＳ４）。
【００４４】
そしてさらに、所望の見出し語「脱出」の５０音順に対応する辞書内位置が現在の見出し語一覧エリアＧｙにて表示中の各見出し語「てつき［手付き］」〜「てつけきん［手付け〜］」より前方にあるとして、図４（Ｅ）に示すように、入力部１６における左「←」カーソルキーが繰り返し操作入力されると（ステップＳ６（Ｙｅｓ））、当該一覧表示中のリスト先頭見出し語「てつき［手付き］」の位置（Ｐｏｓ）１２ｄが新たなソート末尾見出し語位置（Ｍａｘ）１２ｇとして設定記憶され（ステップＳ８）、検索対象となる辞書内範囲が前記ソート先頭見出し語「赤外線カメラ」位置（Ｍｉｎ）１２ｆから当該新たなソート末尾見出し語「てつき［手付き］」位置（Ｍａｘ）１２ｇまでの範囲に更新設定される。
【００４５】
そして、前記ソート先頭見出し語「赤外線カメラ」位置（Ｍｉｎ）１２ｆとソート末尾見出し語「てつき［手付き］」位置（Ｍａｘ）１２ｇとで更新設定された検索対象となる辞書内範囲の２分の１位置に対応する見出し語位置［（Ｍｉｎ＋Ｍａｘ）／２］、つまり更新された設定辞書内範囲中央の見出し語「脱臭剤」の位置がリスト先頭見出し語位置（Ｐｏｓ）１２ｄとして決定記憶され（ステップＳ３）、図４（Ｅ）に示すように、当該リスト先頭見出し語位置（Ｐｏｓ）１２ｄの見出し語「脱臭剤」を先頭行とした見出し語一覧が辞書データ（１２ｂ）から読み出されて見出し語一覧エリアＧｙに表示される（ステップＳ４）。
【００４６】
すると、今回のカーソルキー操作に伴い見出し語一覧エリアＧｙに検索表示された各見出し語「脱臭剤」〜「脱水する［させる］」には、その先頭見出し語「脱臭剤」から４番目に所望の見出し語「だっしゅつ［脱出］」が含まれているので、図４（Ｆ）に示すように、入力部１６の下カーソルキーが操作入力されて反転カーソルＣが当該所望の見出し語「だっしゅつ［脱出］」位置に移動表示されると、このカーソルＣの位置に対応する所望の見出し語「だっしゅつ［脱出］」の説明情報が辞書データ（１２ｂ）から読み出され、説明情報表示エリアＧｓに表示される（ステップＳ５（Ｎｏ）→Ｓ６（Ｎｏ）→通常見出し語一覧キー待ち処理）。
【００４７】
このように、例えば和英辞書から所望の見出し語「だっしゅつ［脱出］」を検索して表示させる場合には、文字入力を一切行わず、初期の辞書検索画面Ｇから左右カーソルキーを４回操作入力するだけで、非常に簡単且つ素早く当該所望の見出し語「だっしゅつ［脱出］」を含んでいる見出し語一覧表示まで辿り着くことができ、その言語訳や意味内容などの説明情報を容易に検索表示させることができる。
【００４８】
したがって、前記構成の携帯機器（電子辞書）１０による第１実施形態の辞書検索制御機能によれば、検索対象として選択された辞書データ（１２ｂ）の先頭の見出し語からの見出し語一覧（Ｇｙ）が表示された初期の辞書検索画面Ｇにおいて、所望の見出し語が表示中の見出し語一覧より辞書内後方にあることを示す右「→」カーソルキーが操作されると、辞書先頭見出し語位置（Ｍｉｎ）から辞書末尾見出し語位置（Ｍａｘ）までが今回の辞書内範囲として設定され、その範囲中央位置((Min+Max)/2)の見出し語を先頭見出し語位置（Ｐｏｓ）とした見出し語一覧（Ｇｙ）が表示される。そして、前記所望の見出し語がこの見出し語一覧（Ｇｙ）より辞書内後方にある場合にはさらに右カーソルキーが操作されて当該見出し語一覧の先頭見出し語位置（Ｐｏｓ→Ｍｉｎ）から前回の末尾見出し語位置（Ｍａｘ）までが新たな辞書内範囲として更新設定され、また前記所望の見出し語が前記見出し語一覧（Ｇｙ）より辞書内前方にある場合には左カーソルキーが操作されて前回の先頭見出し語位置（Ｍｉｎ）から当該見出し語一覧の先頭見出し語位置（Ｐｏｓ→Ｍａｘ）までが新たな辞書内範囲として更新設定され、その範囲中央位置((Min+Max)/2)の見出し語を先頭見出し語位置（Ｐｏｓ）とした見出し語一覧（Ｇｙ）が表示されるので、現在一覧表示中の辞書内見出し語位置（Ｐｏｓ）を基準にした５０音順あるいはアルファベット順の前後方向を示す左右カーソルキーを選択的に数回繰り返し操作入力するだけで、文字入力を一切行わず、非常に簡単且つ素早く当該所望の見出し語を含んでいる見出し語一覧を表示させ、上下カーソルキーによる見出し語指定によりその言語訳や意味内容などの説明情報を容易に検索表示させることができる。
【００４９】
なお、前記第１実施形態の辞書検索制御機能では、検索対象の文字入力を一切行うことなく、左右カーソルキーの選択的操作入力のみにより所望の見出し語を含む見出し語一覧を検索表示させる構成としたが、次の第２実施形態の辞書検索制御機能において説明するように、所望の見出し語に対応した先頭の一部文字入力と前記左右カーソルキーの選択的操作入力とを組み合わせて所望の見出し語を含む見出し語一覧を検索表示させる構成とすれば、容易性を損なわずにより素早く当該所望の見出し語を含んでいる見出し語一覧を検索表示させることができる。
【００５０】
（第２実施形態）
図５は、前記携帯機器（電子辞書）１０による第２実施形態の辞書検索制御処理を示すフローチャートである。
【００５１】
図６は、前記携帯機器（電子辞書）１０の第２実施形態の辞書検索制御処理に伴う検索動作画面を示す図である。
【００５２】
この第２実施形態の辞書検索制御処理において、前記図２を参照して説明した第１実施形態の辞書検索制御処理と同一の処理ステップについては、それと同一のステップ符号を付してその説明を省略する。
【００５３】
例えば図６（Ａ）に示すように、和英辞書の辞書データ（１２ｂ）が検索対象として指定された辞書検索画面Ｇの初期表示状態で、所望の見出し語「独奏曲」を検索するために、先ず検索文字入力エリアＧｘに当該所望の見出し語の読みの先頭文字「と」が入力されると（ステップＳ０（Ｙｅｓ））、この入力された検索文字「と」から先頭一致する各見出し語「ト」「と［戸］」「と［都］」…が読み出され、見出し語一覧エリアＧｙに一覧表示される（ステップＳ０′）。
【００５４】
こうして、所望の見出し語「独奏曲」の読みの先頭文字「と」が検索文字として入力されることで、当該先頭文字に応じた所の辞書内見出し語が一覧表示された状態で、当該所望の見出し語「独奏曲」の５０音順に対応する辞書内位置が当然ながら現在の見出し語一覧エリアＧｙにて表示中の各見出し語「ト」〜「ドアマット」より後方にあるとして、図６（Ｂ）に示すように、入力部１６における右「→」カーソルキーが操作入力されると（ステップＳ１′（Ｙｅｓ））、検索対象となる辞書内範囲が前記入力された検索文字「と」から始まる先頭の見出し語位置から同末尾の見出し語位置までの「と」行の辞書範囲に絞り込み設定され、同「と」行の先頭の見出し語アドレス位置がソート先頭見出し語位置（Ｍｉｎ）１２ｆ、同「と」行の末尾の見出し語アドレス位置がソート末尾見出し語位置（Ｍａｘ）１２ｇとして設定記憶される（ステップＳ２′）。
【００５５】
すると、前記ソート先頭見出し語位置（Ｍｉｎ）１２ｆとソート末尾見出し語位置（Ｍａｘ）１２ｇとで設定された検索対象となる「と」行の辞書内範囲の２分の１位置に対応する見出し語位置［（Ｍｉｎ＋Ｍａｘ）／２］、つまり設定された「と」行の辞書内範囲中央の見出し語「独奏曲」の位置がリスト先頭見出し語位置（Ｐｏｓ）１２ｄとして決定記憶され（ステップＳ３）、図６（Ｂ）に示すように、当該リスト先頭見出し語位置（Ｐｏｓ）１２ｄの見出し語「独奏曲」を先頭行とした見出し語一覧が辞書データ（１２ｂ）から読み出されて見出し語一覧エリアＧｙに表示される（ステップＳ４）。
【００５６】
この際、前記右カーソルキーの操作入力に伴い見出し語一覧エリアＧｙに検索表示された各見出し語「独奏曲」〜「ドクターストップ」には、その先頭の見出し語として所望の見出し語「独奏曲」が含まれおり、反転カーソルＣは当該所望の見出し語「独奏曲」の位置に初期表示されているので、このカーソルＣの位置に対応する所望の見出し語「独奏曲」の説明情報が辞書データ（１２ｂ）から読み出され、説明情報表示エリアＧｓに表示される（ステップＳ５（Ｎｏ）→Ｓ６（Ｎｏ）→通常見出し語一覧キー待ち処理）。
【００５７】
このように、予め所望の見出し語に対応した先頭の一部文字入力と左右カーソルキーの選択的操作入力とを組み合わせて所望の見出し語を含む見出し語一覧を検索表示させる構成とすることで、高い容易性を損なわずにより素早く当該所望の見出し語を含んでいる見出し語一覧を検索表示させることができる。
【００５８】
したがって、前記構成の携帯機器（電子辞書）１０による第２実施形態の辞書検索制御機能によれば、所望の見出し語の読みの先頭文字を検索文字として入力すると、この入力された検索文字に先頭一致する辞書データ（１２ｂ）の見出し語一覧（Ｇｙ）が初期表示される。そして前記所望の見出し語が表示中の見出し語一覧より辞書内後方にあることを示す右「→」カーソルキーが操作されると、前記検索文字に対応する５０音行あるいはアルファベット行の辞書先頭見出し語位置（Ｍｉｎ）から辞書末尾見出し語位置（Ｍａｘ）までが今回の辞書内範囲として設定され、その範囲中央位置((Min+Max)/2)の見出し語を先頭見出し語位置（Ｐｏｓ）とした見出し語一覧（Ｇｙ）が表示される。そして、前記所望の見出し語がこの見出し語一覧（Ｇｙ）より辞書内後方にある場合にはさらに右カーソルキーが操作されて当該見出し語一覧の先頭見出し語位置（Ｐｏｓ→Ｍｉｎ）から前回の末尾見出し語位置（Ｍａｘ）までが新たな辞書内範囲として狭く更新設定され、また前記所望の見出し語が前記見出し語一覧（Ｇｙ）より辞書内前方にある場合には左カーソルキーが操作されて前回の先頭見出し語位置（Ｍｉｎ）から当該見出し語一覧の先頭見出し語位置（Ｐｏｓ→Ｍａｘ）までが新たな辞書内範囲として狭く更新設定され、その範囲中央位置((Min+Max)/2)の見出し語を先頭見出し語位置（Ｐｏｓ）とした見出し語一覧（Ｇｙ）が表示されるので、検索文字の入力による辞書範囲の絞り込みを組み合わせて前記第１実施形態同様に現在一覧表示中の辞書内見出し語位置（Ｐｏｓ）を基準にした５０音順あるいはアルファベット順の前後方向を示す左右カーソルキーを選択的に数回繰り返し操作入力するだけで、非常に簡単且つより素早く当該所望の見出し語を含んでいる見出し語一覧を表示させ、上下カーソルキーによる見出し語指定によりその言語訳や意味内容などの説明情報を容易に検索表示させることができる。
【００５９】
なお、前記第２実施形態の辞書検索制御機能では、例えば図６（Ａ）で示したように、所望の見出し語「独奏曲」の読みの先頭文字「と」の１文字を検索文字として入力し、当該先頭１文字の検索文字「と」に先頭一致する辞書データ（１２ｂ）の「と」行の見出し語範囲に絞ってから、左右カーソルキーの操作を組み合わせた見出し語検索表示を行う場合について説明したが、検索文字として入力する所望の見出し語の先頭部分の文字は１文字に限らず、２文字以上入力することで、これに先頭一致するさらに狭い見出し語範囲に検索対象を絞ってから、左右カーソルキーの操作を組み合わせた見出し語検索表示を行うようにしてもよい。これによれば、左右カーソルキーの操作回数をより少なく済ますことができ、さらに素早い見出し語検索が可能になる。
【００６０】
（第３実施形態）
この第３実施形態の辞書検索制御機能では、前記第１，第２実施形態における左右カーソルキーの繰り返しの操作入力によって検索対象の辞書内範囲を順次狭く設定更新させて行く状況下において、例えば左右カーソルキーの操作ミスにより誤った方向に検索対象の辞書内範囲が設定されてしまった際に、前回設定された検索対象の辞書内範囲に応じた見出し語一覧（Ｇｙ）の表示状態に戻すための付加機能について説明する。
【００６１】
この第３実施形態の実施にあたり、図１における携帯機器（電子辞書）１０内のメモリ１２に対して、保存位置ポインタ１２ｉ、辞書内範囲設定メモリ１２ｊを追加して設ける。
【００６２】
保存位置ポインタ１２ｉには、左右カーソルキーの操作入力に伴う見出し語検索処理の際に、当該左右カーソルキーの操作入力毎にインクリメントされ、削除（戻す）キーの操作入力毎にディクリメントされる数値が、辞書内範囲設定メモリ１２ｊの設定データ保存位置を示すためのポインタ（ｐｔ）として記憶される。
【００６３】
辞書内範囲設定メモリ１２ｊには、前記保存位置ポインタ（ｐｔ）の各ポインタ値（ｐｔ＝０，１，２，…，ｎ）にそれぞれ対応付けられて、その時々に設定された検索対象の辞書内範囲を示すソート先頭見出し語位置（Ｍｉｎ[pt]）およびソート末尾見出し語位置（Ｍａｘ[pt]）が記憶される。
【００６４】
図７は、前記携帯機器（電子辞書）１０による第３実施形態の辞書検索制御処理を示すフローチャートである。
【００６５】
この図７における第３実施形態の辞書検索制御処理を示すフローチャートは、前記図２における第１実施形態の辞書検索制御処理を示すフローチャートをベースにして構築されているが、前記図５における第２実施形態の辞書検索制御処理を示すフローチャートに対しても同様に機能付加して動作させることができる。
【００６６】
すなわち、この第３実施形態の辞書検索制御処理では、例えば図３（Ａ）で示したような辞書検索画面Ｇの初期表示状態において、左右何れかのカーソルキーが操作入力されると（ステップＳ１）、保存位置ポインタ（ｐｔ）１２ｉが“０”に初期化される（ステップＳ１ａ）。
【００６７】
そして、検索対象となる辞書内範囲が辞書先頭の見出し語位置から末尾の見出し語位置までの全辞書範囲に初期設定され、同先頭の見出し語アドレス位置がソート先頭見出し語位置（Ｍｉｎ[pt]）１２ｆ、同末尾の見出し語アドレス位置がソート末尾見出し語位置（Ｍａｘ[pt]）１２ｇとして設定記憶される（ステップＳ２ａ）。
【００６８】
この際、前記保存位置ポインタ（ｐｔ＝０）に対応付けられたソート先頭見出し語位置Ｍｉｎ[0]およびソート末尾見出し語位置Ｍａｘ[0]は、辞書内範囲設定メモリ１２ｊに記憶格納される。
【００６９】
そして、前記ソート先頭見出し語位置（Ｍｉｎ[0]）１２ｆとソート末尾見出し語位置（Ｍａｘ[0]）１２ｇとで設定された検索対象となる辞書内範囲の２分の１位置に対応する見出し語位置［（Ｍｉｎ[0]＋Ｍａｘ[0]）／２］、つまり設定辞書内範囲中央の見出し語「赤外線カメラ」の位置がリスト先頭見出し語位置（Ｐｏｓ）１２ｄとして決定記憶され（ステップＳ３ａ）、図３（Ｂ）で示したように、当該リスト先頭見出し語位置（Ｐｏｓ）１２ｄの見出し語「赤外線カメラ」を先頭行とした見出し語一覧が辞書データ（１２ｂ）から読み出されて見出し語一覧エリアＧｙに表示される（ステップＳ４）。
【００７０】
この後、右カーソルキーが操作入力されると（ステップＳ５（Ｙｅｓ））、前記第１，第２実施形態と同様に前記一覧表示中のリスト先頭見出し語「赤外線カメラ」の位置（Ｐｏｓ）１２ｄが新たなソート先頭見出し語位置（Ｍｉｎ）１２ｆとして設定記憶され、検索対象となる辞書内範囲が該リスト先頭見出し語「赤外線カメラ」の位置から前記末尾の見出し語位置（Ｍａｘ）までの範囲に更新設定されるが、この第３実施形態では、当該更新設定されたソート先頭見出し語位置（Ｍｉｎ）１２ｆおよびソート末尾見出し語位置（Ｍａｘ）１２ｇを、インクリメントした保存位置ポインタ[pt+1]に対応付けた（Ｍｉｎ[pt+1]）および（Ｍａｘ[pt+1]）として辞書内範囲設定メモリ１２ｊに記憶させる（ステップＳ７ａ）。
【００７１】
また、左カーソルキーが操作入力された場合も（ステップＳ６（Ｙｅｓ））、前記第１，第２実施形態と同様に前記一覧表示中のリスト先頭見出し語位置（Ｐｏｓ）１２ｄが新たなソート末尾見出し語位置（Ｍａｘ）１２ｇとして設定記憶され、検索対象となる辞書内範囲が前記ソート先頭見出し語位置（Ｍｉｎ）１２ｆから当該新たなソート末尾見出し語位置（Ｍａｘ）１２ｇまでの範囲に更新設定されるが、この第３実施形態では、当該更新設定されたソート先頭見出し語位置（Ｍｉｎ）１２ｆおよびソート末尾見出し語位置（Ｍａｘ）１２ｇを、インクリメントした保存位置ポインタ[pt+1]に対応付けた（Ｍｉｎ[pt+1]）および（Ｍａｘ[pt+1]）として辞書内範囲設定メモリ１２ｊに記憶させる（ステップＳ８ａ）。
【００７２】
そして、保存位置ポインタ１２ｉのポインタ値（ｐｔ）がインクリメント（ｐｔ＋１）されて更新される（ステップＳ９）。
【００７３】
つまり、この第３実施形態では、左右カーソルキーが繰り返し操作されている状況において、当該カーソルキーの方向に応じた辞書内範囲の更新設定が実行されるのは、前記第１，第２実施形態での処理と同様であるが、これに伴う辞書内範囲の更新設定の都度、当該更新後のソート先頭見出し語位置（Ｍｉｎ[pt+1]）およびソート末尾見出し語位置（Ｍａｘ[pt+1]）が何れもインクリメントされる保存位置ポインタ（ｐｔ＋１）１２ｉに対応付けられて辞書内範囲設定メモリ１２ｊに記憶保存される（ステップＳ５〜Ｓ９）。
【００７４】
具体的には、図３（Ａ）で示した初期の辞書検索画面Ｇの表示状態から１回目の（右）カーソルキーの操作入力に応じて、図３（Ｂ）で示した見出し語一覧エリアＧｙに切り替え表示された状態では（ステップＳ１〜Ｓ４）、そのときのリスト先頭見出し語「赤外線カメラ」の位置（Ｐｏｓ）を中心とする辞書先頭の見出し語「ああ」に対応するソート先頭見出し語位置（Ｍｉｎ[0]）および辞書末尾の見出し語に対応するソート末尾見出し語位置（Ｍａｘ[0]）が記憶保存される。また、図３（Ｃ）で示した２回目の（右）カーソルキーの操作入力に応じて見出し語一覧エリアＧｙが切り替え表示された状態では（ステップＳ５→Ｓ７ａ，Ｓ９→Ｓ３ａ，Ｓ４）、そのときのリスト先頭見出し語「はんえん［半円］」の位置（Ｐｏｓ）を中心とする前回のリスト先頭見出し語「赤外線カメラ」に対応するソート先頭見出し語位置（Ｍｉｎ[1]）および辞書末尾の見出し語に対応するソート末尾見出し語位置（Ｍａｘ[1]）が記憶保存される。また、図４（Ｄ）で示した３回目の（左）カーソルキーの操作入力に応じて見出し語一覧エリアＧｙが切り替え表示された状態では（ステップＳ６→Ｓ８ａ，Ｓ９→Ｓ３ａ，Ｓ４）、そのときのリスト先頭見出し語「てつき［手付き］」の位置（Ｐｏｓ）を中心とする前回のソート先頭見出し語「赤外線カメラ」の位置（Ｍｉｎ[2]）および前回のリスト先頭見出し語「はんえん［半円］」に対応するソート末尾見出し語位置（Ｍｉｎ[2]）が記憶保存される。さらに、図４（Ｅ）で示した４回目の（左）カーソルキーの操作入力に応じて見出し語一覧エリアＧｙが切り替え表示された状態では（ステップＳ６→Ｓ８ａ，Ｓ９→Ｓ３ａ，Ｓ４）、そのときのリスト先頭見出し語「脱臭剤」の位置（Ｐｏｓ）を中心とする前回のソート先頭見出し語「赤外線カメラ」の位置（Ｍｉｎ[3]）および前回のリスト先頭見出し語「てつき［手付き］」に対応するソート末尾見出し語位置（Ｍｉｎ[3]）が記憶保存される。
【００７５】
このように左右カーソルキーの入力段階毎のソート先頭見出し語位置（Ｍｉｎ[n]）およびソート末尾見出し語位置（Ｍｉｎ[n]）が辞書内範囲設定メモリ１２ｊに記憶保存される状態で、例えば前記図４（Ｅ）で示した４回目の（左）カーソルキー操作で「脱臭剤」をリスト先頭見出し語位置（Ｐｏｓ）とした辞書検索画面Ｇから「削除（戻る）」キーが操作入力されると（ステップＳ１０）、現在の保存位置ポインタ（ｐｔ）１２ｉが“１”以上であること、つまり２回目以降の左右カーソルキー操作に伴う辞書検索画面Ｇであることが判断確認された後（ステップＳ１１（Ｙｅｓ）、当該現在の保存位置ポインタ（ｐｔ＝３）１２ｉがディクリメント（ｐｔ＝ｐｔ−１）されてｐｔ＝２にセットされる（ステップＳ１２）。
【００７６】
すると、ステップＳ３ａの処理では、前記ディクリメントされた保存位置ポインタ（ｐｔ＝２）１２ｉに対応付けられて辞書内範囲設定メモリ１２ｊに記憶保存されているソート先頭見出し語「赤外線カメラ」の位置（Ｍｉｎ[2]）とソート末尾見出し語「はんえん［半円］」の位置（Ｍｉｎ[2]）とで設定された前回の左カーソルキーの操作時に検索対象とされた辞書内範囲の２分の１位置に対応する見出し語位置［（Ｍｉｎ[2]＋Ｍａｘ[2]）／２］、つまり設定辞書内範囲中央の見出し語「てつき［手付き］」の位置がリスト先頭見出し語位置（Ｐｏｓ）１２ｄとして決定記憶され（ステップＳ３ａ）、前記図４（Ｄ）で示したように、当該リスト先頭見出し語位置（Ｐｏｓ）１２ｄの見出し語「てつき［手付き］」を先頭行とした前回の見出し語一覧が辞書データ（１２ｂ）から読み出されて見出し語一覧エリアＧｙに表示される（ステップＳ４）。
【００７７】
したがって、前記構成の携帯機器（電子辞書）１０による第３実施形態の辞書検索制御機能によれば、所望の見出し語が現在の見出し語表示位置から辞書内前方にあるか後方にあるかに応じて、左または右カーソルキーの操作毎に更新設定される検索対象の辞書内範囲（ソート先頭見出し語位置（Ｍｉｎ[pt]），ソート末尾見出し語位置（Ｍａｘ[pt]））を、当該左右カーソルキーの操作回数に応じてインクリメントされる保存位置ポインタ（ｐｔ）に対応付けて記憶保存し、「削除（戻る）」キーが操作された場合には、前記保存位置ポインタ（ｐｔ）をディクリメントし、前回の左右カーソルキー操作に対応して更新設定されたところの検索対象の辞書内範囲に戻して見出し語一覧表示を行うようにしたので、例えば左右カーソルキーの操作ミスにより、見出し語検索される辞書内範囲が所望の見出し語の存在する範囲と異なる方向に更新設定され表示されてしまった場合でも、「削除（戻る）」キーを操作入力するだけで、簡単に前回設定された辞書内範囲に戻した状態での見出し語一覧（Ｇｙ）を表示させることができる。
【００７８】
なお、前記各実施形態において記載した携帯機器（電子辞書）１０による各処理の手法、すなわち、図２のフローチャートで示す第１実施形態の辞書検索処理、図５のフローチャートで示す第２実施形態の辞書検索処理、図７のフローチャートで示す第３実施形態の辞書検索処理などの各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体１３に格納して配布することができる。そして、辞書データベースを記憶した種々のコンピュータ端末は、この外部記憶媒体１３に記憶されたプログラムを記憶媒体読取部１４によってメモリ１２に読み込み、この読み込んだプログラムによって動作が制御されることにより、前記各実施形態において説明した辞書検索表示機能を実現し、前述した手法による同様の処理を実行することができる。
【００７９】
また、前記各手法を実現するためのプログラムのデータは、プログラムコードの形態として通信ネットワーク（インターネット）Ｎ上を伝送させることができ、この通信ネットワーク（インターネット）Ｎに接続されたコンピュータ端末（プログラムサーバ）２０から前記のプログラムデータを取り込み、前述した辞書検索表示機能を実現することもできる。
【００８０】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００８１】
【図１】本発明の辞書検索装置の実施形態に係る携帯機器（電子辞書）１０の電子回路の構成を示すブロック図。
【図２】前記携帯機器（電子辞書）１０による第１実施形態の辞書検索制御処理を示すフローチャート。
【図３】前記携帯機器（電子辞書）１０の第１実施形態の辞書検索制御処理に伴う検索動作画面（その１）を示す図。
【図４】前記携帯機器（電子辞書）１０の第１実施形態の辞書検索制御処理に伴う検索動作画面（その２）を示す図。
【図５】前記携帯機器（電子辞書）１０による第２実施形態の辞書検索制御処理を示すフローチャート。
【図６】前記携帯機器（電子辞書）１０の第２実施形態の辞書検索制御処理に伴う検索動作画面を示す図。
【図７】前記携帯機器（電子辞書）１０による第３実施形態の辞書検索制御処理を示すフローチャート。
【符号の説明】
【００８２】
１０  …携帯機器（電子辞書）
１１  …ＣＰＵ
１２  …メモリ
１２ａ…辞書検索制御プログラム
１２ｂ…辞書データメモリ
１２ｃ…入力文字データメモリ
１２ｄ…リスト先頭見出し語位置（Ｐｏｓ）メモリ
１２ｅ…検索見出し語カーソル位置メモリ
１２ｆ…ソート先頭見出し語位置（Ｍｉｎ）メモリ
１２ｇ…ソート末尾見出し語位置（Ｍａｘ）メモリ
１２ｈ…ワークエリア
１２ｉ…保存位置ポインタ（ｐｔ）
１２ｊ…辞書内範囲設定メモリ
１３  …外部記憶媒体
１４  …記憶媒体読取部
１５  …通信部
１６  …入力部
１７  …表示部
２０  …Ｗｅｂサーバ
Ｎ  …通信ネットワーク（インターネット）
Ｇ    …辞書検索画面
Ｇｘ  …検索文字入力エリア
Ｇｙ  …見出し語一覧エリア
Ｇｓ  …説明情報表示エリア
Ｃ  …反転カーソル
【図１】
2008117310.tif 000003
【図２】
2008117310.tif 000004
【図３】
2008117310.tif 000005
【図４】
2008117310.tif 000006
【図５】
2008117310.tif 000007
【図６】
2008117310.tif 000008
【図７】
2008117310.tif 000009